(57)【要約】【課題】  装置の小型化が可能で、手洗いに多量の温水を使用した直後でも局部洗浄を使用する際に所望の温水が得られ、温水を保持するための待機電力が不要で、最大消費電力のピークを抑え１系統の電源ラインでの電源供給が可能な温水洗浄装置を提供すること。【解決手段】  給水路１６からの給水を加熱して温水を生成する連続給湯装置１１と、連続給湯装置１１で生成された温水を局部へ噴出するおしり用ノズル１３ａ又はビデ用ノズル１３ｂ（局部洗浄用ノズル）と、連続給湯装置１１で生成された温水を蛇口２１から吐水する手洗い装置１５とを備える温水洗浄装置１０であって、連続給湯装置１１の下流側に切替弁１４を設け、切替弁１４は、連続給湯装置１１で生成された温水を、局部洗浄時にはおしり用ノズル１３ａ又はビデ用ノズル１３ｂにのみ連通可能にし、手洗い時には手洗い装置１５にのみ連通可能にするように流路を切り替える構成である。【選択図】  図１
2010275780.tif 000002
【特許請求の範囲】
【請求項１】
給水路からの給水を加熱して温水を生成する連続給湯装置と、
前記連続給湯装置で生成された前記温水を局部へ噴出する局部洗浄用ノズルと、
前記連続給湯装置で生成された前記温水を蛇口から吐水する手洗い装置と
を備える温水洗浄装置であって、
前記連続給湯装置の下流側に切替弁を設け、
前記切替弁は、前記連続給湯装置で生成された前記温水を、局部洗浄時には前記局部洗浄ノズルにのみ連通可能にし、手洗い時には前記手洗い装置にのみ連通可能にするように流路を切り替えることを特徴とする温水洗浄装置。
【請求項２】
前記切替弁は、前記局部洗浄用ノズルへの前記温水の流量と前記手洗い装置への前記温水の流量とが異なることを特徴とする請求項１に記載の温水洗浄装置。
【請求項３】
トイレ室内に人が入室したことを検知する人検知手段と、前記人検知手段からの信号を受けて前記給水を加熱するヒータと、前記ヒータで加熱した前記給水を溜めるタンクを備え、前記連続給湯装置へは前記タンクからの前記温水が供給されることを特徴とする請求項１又は請求項２に記載の温水洗浄装置。
【請求項４】
前記連続給湯装置は、手洗い時にのみ前記タンクからの前記温水が供給されることを特徴とする請求項３に記載の温水洗浄装置。
【発明の詳細な説明】
【技術分野】
【０００１】
本発明は、給水路からの給水を加熱して温水を生成し、局部洗浄用ノズルと手洗い装置に温水を供給する温水洗浄装置に関する。
【背景技術】
【０００２】
従来技術として、温水タンクとノズルを接続するノズル用給水管の途中に切替弁を設け、この切替弁に手洗い水用給水管の一端を接続し、切替弁の切り替えにより手洗い水用給水管と温水タンクとを連通可能とし、手洗い水用給水管から手洗い皿部へ温水タンク内の温水を供給し、この温水で手洗いを行なうものがある（例えば、特許文献１参照。）。
【０００３】
また、手洗い用蛇口金具部に加温機能を付加し、蛇口からの水の吐出を検出手段と、吐出する水を加温する手段とを備えたものがある（例えば、特許文献２参照。）。
【先行技術文献】
【特許文献】
【０００４】
【特許文献１】特開平１０−８８６４２号公報
【特許文献２】特開平１０−２１９７８７号公報
【発明の概要】
【発明が解決しようとする課題】
【０００５】
しかしながら、特許文献１の従来技術では、局部洗浄と手洗い水用の温水を溜める容量のタンクが必要であり、温水洗浄装置が大型化する問題がある。また、手洗いに多量の温水を使用すると、直後に局部洗浄を使用する際に温水の温度が低下する問題がある。また、局部洗浄で多量の温水を使用すると、直後に手洗いをする際に温水の温度が低下する問題がある。また、温水を溜めるため、待機電力が大きくなる問題がある。
【０００６】
また、特許文献２の従来技術では、局部洗浄用ノズルへ供給する温水を生成する加熱手段の他に、手洗い用蛇口金具部に加温機能を付加する必要があり、装置が大型化する問題がある。また、局部洗浄用ノズルへ供給する温水の生成と手洗い用蛇口金具部の加温機能を同時に作動すると、最大消費電力のピークが１２００Ｗを超えてしまい、１系統の電源ラインでの電源供給が困難である。
【０００７】
本発明は、上記問題点に鑑みて成されたものであり、装置の小型化が可能で、手洗いに多量の温水を使用した直後でも局部洗浄を使用する際に所望の温水が得られ、温水を保持するための待機電力が不要で、最大消費電力のピークを抑え１系統の電源ラインでの電源供給が可能な温水洗浄装置を提供することを目的とする。
【課題を解決するための手段】
【０００８】
本発明の第１の課題解決手段は、給水路からの給水を加熱して温水を生成する連続給湯装置と、前記連続給湯装置で生成された前記温水を局部へ噴出する局部洗浄用ノズルと、前記連続給湯装置で生成された前記温水を蛇口から吐水する手洗い装置とを備える温水洗浄装置であって、前記連続給湯装置の下流側に切替弁を設け、前記切替弁は、前記連続給湯装置で生成された前記温水を、局部洗浄時には前記局部洗浄ノズルにのみ連通可能にし、手洗い時には前記手洗い装置にのみ連通可能にするように流路を切り替える構成である。
【０００９】
また、第２の課題解決手段は、前記切替弁は、前記局部洗浄用ノズルへの前記温水の流量と前記手洗い装置への前記温水の流量とが異なる構成である。
【００１０】
また、第３の課題解決手段は、トイレ室内に人が入室したことを検知する人検知手段と、前記人検知手段からの信号を受けて前記給水を加熱するヒータと、前記ヒータで加熱した前記給水を溜めるタンクを備え、前記連続給湯装置へは前記タンクからの前記温水が供給される構成である。
【００１１】
また、第４の課題解決手段は、前記連続給湯装置は、手洗い時にのみ前記タンクからの前記温水が供給される構成である。
【発明の効果】
【００１２】
本発明では、温水洗浄装置は連続給湯装置の下流側に切替弁を設け、切替弁は連続給湯装置で生成された温水を、局部洗浄時には局部洗浄ノズルにのみ連通可能にし、手洗い時には手洗い装置にのみ連通可能にするように流路を切り替える構造である。したがって、本発明の温水洗浄装置では、局部洗浄と手洗い用の温水を溜める容量のタンクが不要で、装置の小型化が可能である。また、連続給湯装置で生成した温水を用いるため、手洗いに多量の温水を使用した直後に別の使用者が局部洗浄を行う場合でも所望の温水が得られる。また、局部洗浄で多量の温水を使用した直後に手洗いを行う場合でも所望の温水が得られる。
【００１３】
また、温水を保持するための待機電力が不要で、またタンクからの放熱がないため、省エネ効果が得られる。また、温水洗浄装置の最大消費電力のピークを抑え１系統の電源ラインでの電源供給が可能である。
【００１４】
また、切替弁の局部洗浄用ノズルへの温水の流量と手洗い装置への前記温水の流量は異なるため、局部洗浄に必要な流量（約４５０ｃｃ／分）と、手洗いに必要な流量（約１０００ｃｃ／分）を夫々確保できる。
【００１５】
また、トイレ室内に人が入室したことを検知する人検知手段と、人検知手段からの信号を受けて前記給水を加熱するヒータと、ヒータで加熱した給水を溜めるタンクを備え、連続給湯装置へはタンクからの温水を供給することで、局部洗浄用ノズルまたは手洗いへの供給する温水の流量を増やすことができる。また、従来技術のように、局部洗浄と手洗いに必要な量の温水を溜めるタンクが不要なため、タンクの小型化が可能である。また、トイレ室内に人が入室したことを検知してから温水を生成するため、従来技術と比較してタンク外への放熱を抑制でき、消費電力を低減できる。
【００１６】
また、連続給湯装置は、手洗い時にのみタンクからの温水が供給されるため、手洗いに必要な温水の流量を確保できる。また、ヒータで加熱した給水を溜めるタンクを小型化できる。
【図面の簡単な説明】
【００１７】
【図１】本発明の実施例１である温水洗浄装置を備えた瞬間給湯式温水洗浄便器の斜視構成を示す説明図である。
【図２】実施例１の温水洗浄装置の給水回路を示す説明図である。
【図３】本発明の実施例２である温水洗浄装置を備えた瞬間給湯式温水洗浄便器の斜視構成を示す説明図である。
【図４】本発明の実施例３である温水洗浄装置を備えた瞬間給湯式温水洗浄便器の斜視構成を示す説明図である。
【図５】本発明の実施例４である温水洗浄装置を備えた瞬間給湯式温水洗浄便器の斜視構成を示す説明図である。
【図６】実施例５の温水洗浄装置の給水回路を示す説明図である。
【図７】実施例６の温水洗浄装置の給水回路を示す説明図である。
【図８】実施例７の温水洗浄装置の構成を示す説明図である。
【図９】実施例８の温水洗浄装置の構成を示す説明図である。
【図１０】実施例９の温水洗浄装置の構成を示す説明図である。
【図１１】実施例１０の温水洗浄装置の給水回路を示す説明図である。
【図１２】実施例１１の温水洗浄装置の給水回路を示す説明図である。
【図１３】実施例１２の温水洗浄装置の給水回路を示す説明図である。
【発明を実施するための形態】
【００１８】
以下に本発明の実施の形態について詳細に説明する。
【実施例１】
【００１９】
図１は、本発明の実施例１である温水洗浄装置１０を備えた瞬間給湯式温水洗浄便器１の斜視構成を示す説明図である。瞬間給湯式温水洗浄便器１は便器洗浄タンク２を備える。便器洗浄タンク２を覆うケース３の中には、温水洗浄装置１０を構成する連続給湯装置１１と、制御装置１２と、おしり用ノズル１３ａ（局部洗浄用ノズル）と、ビデ用ノズル１３ｂ（局部洗浄用ノズル）と、切替弁１４と、手洗い用配管１８と、便器洗浄用配管１９と、を備える。便器洗浄タンク２の上部には手洗い装置１５が設けられる。瞬間給湯式温水洗浄便器１は便器一体型であるが、ロータンク部分一体型でもよい。
【００２０】
図２は、図１の温水洗浄装置１０の給水回路を示す説明図である。温水洗浄装置１０は、給水路１６からの給水を給水弁２０を介して連続給湯装置１１に送り、連続給湯装置１１内に設けたヒータ１７で加熱して温水を生成する。給水弁２０は三方弁（電磁弁）で、制御装置１２からの指示で給水路１６からの給水を連続給湯装置１１側又は便器洗浄タンク２側へ切り替える。連続給湯装置１１で生成した温水は切替弁１４に送られる。切替弁１４は温水をおしり用ノズル１３ａとビデ用ノズル１３ｂへ、又は手洗い用配管１８を介して手洗い装置１５へ送る。切替弁１４の流路は、おしり用ノズル１３ａとビデ用ノズル１３ｂへの流量（約４５０ｃｃ／分）と手洗い装置１５への温水の流量（約１０００ｃｃ／分）とが異なる構成である。
【００２１】
温水洗浄装置１０の動作について説明する。
【００２２】
（局部洗浄時の動作）
使用者がおしり用ノズル１３ａ又はビデ用ノズル１３ｂのスイッチ（図示省略）を操作すると、制御装置１２は給水弁２０を連続給湯装置１１側に開動作して給水路１６からの給水を開始し、連続給湯装置１１に給水する。連続給湯装置１１に送られた給水は、ヒータ１７によりおしり洗浄、ビデ洗浄に適した温度に加熱される。連続給湯装置１１で生成した温水は切替弁１４を介しておしり用ノズル１３ａ又はビデ用ノズル１３ｂにのみ送られ使用者の局部洗浄に使用される。
【００２３】
（手洗い時の動作）
局部洗浄後に使用者が手洗いスイッチ（図示省略）を操作すると、給水路１６からの給水は連続給湯装置１１に送られ、ヒータ１７により手洗いに適した温度に加熱される。連続給湯装置１１で生成された温水は切替弁１４により手洗い用配管１８を介して手洗い装置１５にのみ送られる。手洗い装置１５に送られた温水は蛇口２１から吐水される。
【００２４】
温水洗浄装置１０は、連続給湯装置１１の下流側に切替弁１４を設け、切替弁１４は連続給湯装置１１で生成された温水を、局部洗浄時にはおしり用ノズル１３ａ又はビデ用ノズル１３ｂにのみ連通可能にし、手洗い時には手洗い装置１５にのみ連通可能にするように流路を切り替えるため、局部洗浄と手洗い用の温水を溜める容量のタンクが不要で、装置の小型化が可能である。また、連続給湯装置１１で生成した温水を用いるため、手洗いに多量の温水を使用した直後に別の使用者が局部洗浄を行う場合でも所望の温水が得られる。また、温水を保持するための待機電力が不要で、またタンクからの放熱がないため、省エネ効果が得られる。また、温水洗浄装置１０の最大消費電力のピークを抑えることができ、１系統の電源ラインでの電源供給（１２００Ｗ）が可能である。
【００２５】
また、切替弁１４のおしり用ノズル１３ａ又はビデ用ノズル１３ｂへの温水の流量と手洗い装置１５への温水の流量は異なるため、局部洗浄に必要な流量（約４５０ｃｃ／分）と手洗いに必要な流量（約１０００ｃｃ／分）を夫々確保できる。
【００２６】
また、手洗い用配管１８と便器洗浄用配管１９は便器洗浄タンク２内に設けられるため、意匠性が向上する。
【実施例２】
【００２７】
図３は、本発明の実施例２である温水洗浄装置１０ａを備えた瞬間給湯式温水洗浄便器１ａの斜視構成を示す説明図である。実施例１との違いは、ケース３を備えていないこと、二方弁である給水弁２０ａを用いたこと、温水洗浄便座４に手洗い装置１５側へ温水を供給する手洗い用配管１８ａを取り付けるための配管取付口２２を設け、手洗い用配管１８ａと便器洗浄用配管１９ａを便器洗浄タンク２ａの外側に設けたことである。その他の構成は図１の温水洗浄装置１０と同じである。同一の機能、部位については同一の符号を用いて説明する。
【００２８】
瞬間給湯式温水洗浄便器１ａは、温水洗浄装置１０ａを構成する連続給湯装置１１と、制御装置１２と、おしり用ノズル１３ａと、ビデ用ノズル１３ｂと、切替弁１４を備える。手洗い用配管１８ａは配管取付口２２に接続され、便器洗浄タンク２ａの外側に設けられる。便器洗浄用配管１９ａは、給水路１６から分岐して便器洗浄タンク２ａの外側に設けられる。
【００２９】
温水洗浄装置１０ａは、給水路１６からの給水を連続給湯装置１１のヒータ１７で加熱して温水を生成する。連続給湯装置１１で生成した温水は切替弁１４に送られ、切替弁１４は温水をおしり用ノズル１３ａとビデ用ノズル１３ｂへ、配管取付口２２に接続された手洗い用配管１８ａを介して手洗い装置１５へ送られる。切替弁１４の流路は、おしり用ノズル１３ａとビデ用ノズル１３ｂへの流量（約４５０ｃｃ／分）と手洗い装置１５への温水の流量（約１０００ｃｃ／分）とが異なるよう構成されている。
【００３０】
温水洗浄装置１０ａの局部洗浄時の動作と、手洗い時の動作は、実施例１と同様である。
【００３１】
温水洗浄装置１０ａでは、実施例１と同様の効果を奏するが、温水洗浄便座４に手洗い装置１５側へ温水を供給する手洗い用配管１８ａを取り付ける配管取付口２２を設け、手洗い用配管１８ａと便器洗浄用配管１９ａを便器洗浄タンク２ａの外側に設けたことで、既存の温水洗浄便座を改良して温水洗浄装置１０ａを設けることが容易になる。
【実施例３】
【００３２】
図４は、本発明の実施例３である温水洗浄装置１０ｂを備えた瞬間給湯式温水洗浄便器１ｂの斜視構成を示す説明図である。実施例１との違いは、ケース３を備えていないこと、二方弁である給水弁２０ａを用いたこと、温水洗浄便座４に手洗い装置１５ａ側へ温水を供給するための手洗い用配管１８ｂを取り付けるための配管取付口２２を設け、手洗い用配管１８ｂと便器洗浄用配管１９ｂを便器洗浄タンク２ａの外側に設け、手洗い用配管１８ｂの端部には手洗い装置１５ａを、便器洗浄用配管１９ｂの端部には手洗い装置１５ｂを設けたことである。その他の構成は図１の温水洗浄装置１０と同じである。同一の機能、部位については同一の符号を用いて説明する。
【００３３】
瞬間給湯式温水洗浄便器１ｂは、温水洗浄装置１０ｂを構成する連続給湯装置１１と、制御装置１２と、おしり用ノズル１３ａと、ビデ用ノズル１３ｂと、切替弁１４を備える。手洗い用配管１８ｂは配管取付口２２に接続され、便器洗浄タンク２ａの外側に設けられる。便器洗浄用配管１９ｂは、給水路１６から分岐して便器洗浄タンク２ａの外側に設けられる。手洗い用配管１８ｂの端部には手洗い装置１５ａが、便器洗浄用配管１９ｂの端部には手洗い装置１５ｂが設けられている。
【００３４】
温水洗浄装置１０ｂは、給水路１６からの給水を連続給湯装置１１のヒータ１７で加熱して温水を生成する。連続給湯装置１１で生成した温水は、切替弁１４に送られ、切替弁１４は温水をおしり用ノズル１３ａとビデ用ノズル１３ｂへ、配管取付口２２に接続された手洗い用配管１８ｂを介して手洗い装置１５ａへ送られる。切替弁１４の流路は、おしり用ノズル１３ａとビデ用ノズル１３ｂへの流量（約４５０ｃｃ／分）と手洗い装置１５への温水の流量（約１０００ｃｃ／分）とが異なるように構成されている。
【００３５】
温水洗浄装置１０ｂの局部洗浄時の動作と、手洗い時の動作は、実施例１と同様である。
【００３６】
温水洗浄装置１０ｂでは、実施例１と同様の効果を奏するが、温水洗浄便座４に手洗い装置１５側へ温水を供給する手洗い用配管１８ｂを取り付けるための配管取付口２２を設け、手洗い用配管１８ｂと便器洗浄用配管１９ｂを便器洗浄タンク２ａの外側に設けたことで、既存の温水洗浄便座を改良して温水洗浄装置１０ｂを設けることが容易になる。また、手洗いの蛇口１５ａを専用のシャワー２３とすることで、小流量でも洗い感が向上できる。また、手洗いを水で行う場合は、便器洗浄用配管１９ｂに設けた手洗い装置１５ｂの蛇口２１を使用できる。
【実施例４】
【００３７】
図５は、本発明の実施例４である温水洗浄装置１０ｃを備えた瞬間給湯式温水洗浄便器１ｃの斜視構成を示す説明図である。実施例１との違いは、ケース３を備えていないこと、二方弁である給水弁２０ａを用いたこと、温水洗浄便座４に手洗い装置１５ａ側へ温水を供給するための手洗い用配管１８ｂを取り付けるための配管取付口２２を設け、手洗い用配管１８ｂと便器洗浄用配管１９ｂを便器洗浄タンク２ａの外側に設け、手洗い用配管１８ｂの端部には手洗い装置１５ａを設けたことである。その他の構成は図１の温水洗浄装置１０と同じである。同一の機能、部位については同一の符号を用いて説明する。
【００３８】
瞬間給湯式温水洗浄便器１ｃは、温水洗浄装置１０ｃを構成する連続給湯装置１１と、制御装置１２と、おしり用ノズル１３ａと、ビデ用ノズル１３ｂと、切替弁１４を備える。手洗い用配管１８ｂは配管取付口２２に接続され、便器洗浄タンク２ａの外側に設けられる。便器洗浄用配管１９ｂは、給水路１６から分岐して便器洗浄タンク２ａの外側に設けられる。手洗い用配管１８ｂの端部には手洗い専用のシャワー２３を備えた手洗い装置１５ａが設けてある。
【００３９】
温水洗浄装置１０ｃは、給水路１６からの給水を連続給湯装置１１のヒータ１７で加熱して温水を生成する。連続給湯装置１１で生成した温水は、切替弁１４に送られ、切替弁１４は温水をおしり用ノズル１３ａとビデ用ノズル１３ｂへ、配管取付口２２に接続された手洗い用配管１８ｂを介して手洗い装置１５ａへ送られる。切替弁１４の流路は、おしり用ノズル１３ａとビデ用ノズル１３ｂへの流量（約４５０ｃｃ／分）と手洗い装置１５への温水の流量（約１０００ｃｃ／分）とが異なるように構成されている。
【００４０】
温水洗浄装置１０ｃの局部洗浄時の動作と、手洗い時の動作は、実施例１と同様である。
【００４１】
温水洗浄装置１０ｃでは、実施例１と同様の効果を奏するが、温水洗浄便座４に手洗い装置１５aへ温水を供給する手洗い用配管１８ｂを取り付けるための配管取付口２２を設け、手洗い用配管１８ｂと便器洗浄用配管１９ｂを便器洗浄タンク２ａの外側に設けたことで、既存の温水洗浄便座を改良して温水洗浄装置１０ｃを設けることが容易になる。また、手洗いの蛇口１５ａを専用のシャワー２３とすることで、小流量でも洗い感が向上できる。
【実施例５】
【００４２】
図６は、温水洗浄装置１０ｄの給水回路を示す説明図である。温水洗浄装置１０ｄは、図１の実施例１の温水洗浄装置１０を改良したのもで、同一の機能、部位については同一の符号を用いて説明する。実施例１の温水洗浄装置１０との違いは、トイレ室内に人が入室したことを検知する人検知手段２４と、人検知手段２４からの信号を受けて給水を加熱するヒータ２５を備えたタンク２６を備えることである。
【００４３】
（局部洗浄時の動作）
トイレ室内に人が入室したことを検知する人検知手段２４からの信号が制御装置１２に送られると、制御装置１２はヒータ２５への給電を開始する。タンク２６の水はヒータ２５により加熱される。使用者がおしり用ノズル１３ａ又はビデ用ノズル１３ｂのスイッチ（図示省略）を操作すると、制御装置１２は給水弁２０を連続給湯装置１１側に開動作して、タンク２６の温水は連続給湯装置１１に送られる。連続給湯装置１１に送られた温水は、ヒータ１７によりおしり洗浄、ビデ洗浄に適した温度までさらに加熱される。連続給湯装置１１で生成した温水は切替弁１４を介しておしり用ノズル１３ａ又はビデ用ノズル１３ｂにのみ送られ使用者の局部洗浄に使用される。
【００４４】
（手洗い時の動作）
局部洗浄後に使用者が手洗いスイッチ（図示省略）を操作すると、制御装置１２は給水弁２０を連続給湯装置１１側に開動作して、タンク２６の温水は連続給湯装置１１に送られ、ヒータ１７により手洗いに適した温度までさらに加熱される。連続給湯装置１１で生成された温水は切替弁１４により手洗い用配管１８を介して手洗い装置１５にのみ送られる。手洗い装置１５に送られた温水は蛇口２１から吐水される。
【００４５】
温水洗浄装置１０ｄでは、実施例１と同様の効果を奏するが、さらに人検知手段２４とヒータ２５を備えたタンク２６とを用いることで、従来技術のように局部洗浄と手洗いに必要な容量の温水を溜めるタンクが不要なため、タンク２６の小型化が可能である。また、トイレ室内に人が入室したことを検知してから温水を生成するため、従来技術と比較してタンク外への放熱を抑制でき、待機電力を抑え消費電力を低減できる。また、局部洗浄時・手洗い時の温水の温度と量を確保できる。
【実施例６】
【００４６】
図７は、温水洗浄装置１０ｅの給水回路を示す説明図である。温水洗浄装置１０ｅは、図１の実施例１の温水洗浄装置１０を改良したのもで、同一の機能、部位については同一の符号を用いて説明する。実施例１の温水洗浄装置１０との違いは、トイレ室内に人が入室したことを検知する人検知手段２４と、人検知手段２４からの信号を受けて給水を加熱するヒータ２５を備えたタンク２６を備えること、タンク２６と連続給湯装置１１の間に切替弁２７を設け給水路２８からの給水を可能にしたことである。
【００４７】
（局部洗浄時の動作）
トイレ室内に人が入室したことを検知する人検知手段２４からの信号が制御装置１２に送られると、制御装置１２はヒータ２５への給電を開始する。タンク２６の水はヒータ２５により加熱される。使用者がおしり用ノズル１３ａ又はビデ用ノズル１３ｂのスイッチ（図示省略）を操作すると、制御装置１２は切替弁２７を操作して、給水路２８から連続給湯装置１１に給水する。連続給湯装置１１に送られた給水は、ヒータ１７によりおしり洗浄、ビデ洗浄に適した温度に加熱される。連続給湯装置１１で生成した温水は切替弁１４を介しておしり用ノズル１３ａ又はビデ用ノズル１３ｂにのみ送られ使用者の局部洗浄に使用される。
【００４８】
（手洗い時の動作）
局部洗浄後に使用者が手洗いスイッチ（図示省略）を操作すると、給水弁２０が連続給湯装置１１側に開動作する。タンク２６の温水は連続給湯装置１１に送られ、ヒータ１７により手洗いに適した温度までさらに加熱される。連続給湯装置１１で生成された温水は切替弁１４により手洗い用配管１８を介して手洗い装置１５にのみ送られる。手洗い装置１５に送られた温水は蛇口２１から吐水される。
【００４９】
温水洗浄装置１０ｅでは、実施例１と同様の効果を奏するが、トイレ室内に人が入室したことを検知してから温水を生成するため、従来技術と比較してタンク２６外への放熱を抑制でき、待機電力を抑え消費電力を低減できる。また、連続給湯装置１１は、手洗い時にのみタンク２６からの温水が供給されるため、手洗いに必要な温水の流量（約１０００ｃｃ／分）を確保できる。
【実施例７】
【００５０】
図８は、実施例７の温水洗浄装置１０ｆの構成を示す説明図である。温水洗浄装置１０ｆは図１の温水洗浄装置１０の温水洗浄便座４に局部洗浄スイッチ２９と手洗いスイッチ３０を設けたもので、その他の構成は温水洗浄便座１０と同じである。同一の機能、部位については同一の符号を用いて説明する。
【００５１】
（局部洗浄時の動作）
使用者がおしり用ノズル１３ａ又はビデ用ノズル１３ｂの局部洗浄スイッチ２９を操作すると、制御装置１２は給水弁２０を連続給湯装置１１側に開動作して給水路１６からの給水を開始し、連続給湯装置１１に給水する。連続給湯装置１１に送られた給水は、ヒータ１７によりおしり洗浄、ビデ洗浄に適した温度に加熱される。連続給湯装置１１で生成した温水は切替弁１４を介しておしり用ノズル１３ａ又はビデ用ノズル１３ｂにのみ送られ使用者の局部洗浄に使用される。
【００５２】
（手洗い時の動作）
局部洗浄後に使用者が手洗いスイッチ３０を操作すると、制御装置１２は給水弁２０を連続給湯装置１１側に開動作して、給水路１６からの給水は連続給湯装置１１に送られ、ヒータ１７により手洗いに適した温度に加熱される。連続給湯装置１１で生成された温水は切替弁１４により手洗い用配管１８を介して手洗い装置１５にのみ送られる。手洗い装置１５に送られた温水は蛇口２１から吐水される。
【００５３】
温水洗浄装置１０ｆでは、実施例１と同様の効果に加え、温水洗浄便座４に設けた局部洗浄スイッチ２９と手洗いスイッチ３０により、使用者は所望の操作を容易に選択できる。
【実施例８】
【００５４】
図９は、実施例８の温水洗浄装置１０ｇの構成を示す説明図である。温水洗浄装置１０ｇは図１の温水洗浄装置１０の温水洗浄便座４に局部洗浄スイッチ２９を設け、手洗い装置１５に手洗いスイッチ３０ａを設けたことで、その他の構成は温水洗浄便座１０と同じである。同一の機能、部位については同一の符号を用いて説明する。
【００５５】
（局部洗浄時の動作）
使用者がおしり用ノズル１３ａ又はビデ用ノズル１３ｂの局部洗浄スイッチ２９を操作すると、制御装置１２は給水弁２０を連続給湯装置１１側に開動作して給水路１６からの給水を開始し、連続給湯装置１１に給水する。連続給湯装置１１に送られた給水は、ヒータ１７によりおしり洗浄、ビデ洗浄に適した温度に加熱される。連続給湯装置１１で生成した温水は切替弁１４を介しておしり用ノズル１３ａ又はビデ用ノズル１３ｂにのみ送られ使用者の局部洗浄に使用される。
【００５６】
（手洗い時の動作）
局部洗浄後に使用者が手洗い装置１５に設けた手洗いスイッチ３０ａを操作すると、制御装置１２は給水弁２０を連続給湯装置１１側に開動作して、給水路１６からの給水は連続給湯装置１１に送られ、ヒータ１７により手洗いに適した温度に加熱される。連続給湯装置１１で生成された温水は切替弁１４により手洗い用配管１８を介して手洗い装置１５にのみ送られる。手洗い装置１５に送られた温水は蛇口２１から吐水される。
【００５７】
温水洗浄装置１０ｇでは、実施例１と同様の効果に加え、温水洗浄便座４に設けた局部洗浄スイッチ２９と手洗いスイッチ３０ａにより、使用者は所望の操作を容易に選択できる。また、手洗いスイッチ３０ａは手洗い装置１５に設けられるため、使用者が局部洗浄スイッチ２９と誤って操作することを防止できる。また、温水洗浄便座４には局部洗浄スイッチ２９のみとなるため、温水洗浄便座４のスペースを有効活用できる。
【実施例９】
【００５８】
図１０は、実施例９の温水洗浄装置１０ｈの構成を示す説明図である。温水洗浄装置１０ｈは図１の温水洗浄装置１０の温水洗浄便座４に局部洗浄スイッチ２９を設け、便器３１に設けた着座センサ３２により便座３１を離れてから一定の時間だけ蛇口２１から吐水する構成で、その他の構成は温水洗浄便座１０と同じである。同一の機能、部位については同一の符号を用いて説明する。
【００５９】
（局部洗浄時の動作）
使用者がおしり用ノズル１３ａ又はビデ用ノズル１３ｂの局部洗浄スイッチ２９を操作すると、制御装置１２は給水弁２０を連続給湯装置１１側に開動作して給水路１６からの給水を開始し、連続給湯装置１１に給水する。連続給湯装置１１に送られた給水は、ヒータ１７によりおしり洗浄、ビデ洗浄に適した温度に加熱される。連続給湯装置１１で生成した温水は切替弁１４を介しておしり用ノズル１３ａ又はビデ用ノズル１３ｂにのみ送られ使用者の局部洗浄に使用される。
【００６０】
（手洗い時の動作）
局部洗浄後に使用者が便座３１を離れると、着座センサ３２から制御装置１２に信号が送られ、制御装置１２は一定の時間（例えば約１０秒）だけ蛇口２１から吐水するように手洗い装置１５を制御する。このとき制御装置１２は給水弁２０を連続給湯装置１１側に開動作して、給水路１６からの給水は連続給湯装置１１に送られ、ヒータ１７により手洗いに適した温度に加熱される。連続給湯装置１１で生成された温水は切替弁１４により手洗い用配管１８を介して手洗い装置１５にのみ送られる。手洗い装置１５に送られた温水は蛇口２１から吐水される。
【００６１】
温水洗浄装置１０ｈでは、実施例１と同様の効果に加え、温水洗浄便座４に設けた局部洗浄スイッチ２９により、使用者は局部洗浄操作を所望のタイミングで行うことができる。また、手洗い時には温水洗浄装置１０ｈは着座センサ３２からの信号で一定の時間（例えば約１０秒）だけ蛇口２１から吐水するため、使用者がスイッチ操作で煩わされることがなく、局部洗浄スイッチ２９との誤操作を防止できる。また、温水洗浄便座４には局部洗浄スイッチ２９のみとなるため、温水洗浄便座４のスペースを有効活用できる。
【実施例１０】
【００６２】
図１１は、温水洗浄装置１０ｉの給水回路を示す説明図である。温水洗浄装置１０ｉは、図１の実施例１の温水洗浄装置１０を改良したのもで、同一の機能、部位については同一の符号を用いて説明する。実施例１の温水洗浄装置１０との違いは、二方弁である給水弁２０ａを用いたこと、給水弁２０ａと連続給湯装置１１との間に温度センサ３３と流量センサ３５を備え、連続給湯装置１１と切替弁１４の間には温度センサ３４とアキュームレータ３７と脈動バルブ３８を備え、連続給湯装置１１のヒータ１７には温度ヒューズ３６を備えたことで、その他の構成は温水洗浄便座１０と同じである。
【００６３】
（局部洗浄時の動作）
使用者がおしり用ノズル１３ａ又はビデ用ノズル１３ｂのスイッチ（図示省略）を操作すると、制御装置１２は給水弁２０ａを開動作して給水路１６からの給水を開始し、連続給湯装置１１に給水する。このとき連続給湯装置１１の入口温度を温度センサ３３で、出口温度を温度センサ３４で計測し、温度センサ３３、温度センサ３４からの信号は制御装置１２へ送られる。また、給水の流量は流量センサ３５で計測され、その信号は制御装置１２へ送られる。連続給湯装置１１に送られた給水は、温度センサ３３、温度センサ３４からの信号と流量センサ３５からの信号に基づいて制御装置１２により制御されるヒータ１７でおしり洗浄、ビデ洗浄に適した温度に加熱される。ヒータ１７には温度ヒューズ３６が設けてあり、給水の過昇温を防止する。連続給湯装置１１で生成した温水はアキュームレータ３７と脈動バルブ３８を流動して切替弁１４に送られ、切替弁１４からおしり用ノズル１３ａ又はビデ用ノズル１３ｂに送られる。
【００６４】
（手洗い時の動作）
局部洗浄後に使用者が手洗いスイッチ（図示省略）を操作すると、制御装置１２は給水弁２０ａを開動作して給水路１６からの給水を開始し、連続給湯装置１１に給水する。このとき連続給湯装置１１への入口の温度を温度センサ３３で、出口の温度を温度センサ３４で計測し、温度センサ３３、温度センサ３４からの信号は制御装置１２へ送られる。また、給水の流量は流量センサ３５で計測され、その信号は制御装置１２へ送られる。連続給湯装置１１に送られた給水は、温度センサ３３、温度センサ３４からの信号、流量センサ３５からの信号に基づいて制御装置１２により制御されるヒータ１７で手洗いに適した温度に加熱される。ヒータ１７には温度ヒューズ３６が設けてあり、給水の過昇温を防止する。連続給湯装置１１で生成した温水はアキュームレータ３７と脈動バルブ３８を流動して切替弁１４に送られ、切替弁１４から手洗い装置１５に送られる。
【００６５】
温水洗浄装置１０ｉでは、実施例１と同様の効果に加え、温度センサ３３、温度センサ３４、流量センサ３５を備えることで、おしり洗浄、ビデ洗浄又は手洗いに好適な温度、流量の制御が行える。また、アキュームレータ３７と脈動バルブ３８を備えることで、おしり洗浄、ビデ洗浄又は手洗い時に、給水へ適度な脈動を付与させることにより、少ない流量でも強さ感を得られる。また、脈動を停止して、ソフトな洗い心地にすることも可能である。
【実施例１１】
【００６６】
図１２は、温水洗浄装置１０ｊの給水回路を示す説明図である。温水洗浄装置１０ｊは、図１の実施例１の温水洗浄装置１０を改良したのもで、同一の機能、部位については同一の符号を用いて説明する。実施例１の温水洗浄装置１０との違いは、二方弁である給水弁２０ａを用いたこと、給水弁２０ａと連続給湯装置１１との間に温度センサ３３と流量センサ３５を備え、三方弁である切替弁１４ａと三方弁である切替弁１４ｂの間にはアキュームレータ３７と脈動バルブ３８を備え、連続給湯装置１１のヒータ１７には温度ヒューズ３６を備えることで、その他の構成は温水洗浄便座１０と同じである。
【００６７】
（局部洗浄時の動作）
使用者がおしり用ノズル１３ａ又はビデ用ノズル１３ｂのスイッチ（図示省略）を操作すると、制御装置１２は給水弁２０ａを開動作して給水路１６からの給水を開始し、連続給湯装置１１に給水する。このとき連続給湯装置１１への入口の温度を温度センサ３３で、出口の温度を温度センサ３４で計測し、温度センサ３３、温度センサ３４からの信号は制御装置１２へ送られる。また、給水の流量は流量センサ３５で計測され、その信号は制御装置１２へ送られる。連続給湯装置１１に送られた給水は、温度センサ３３、温度センサ３４からの信号、流量センサ３５からの信号に基づいて制御装置１２により制御されるヒータ１７でおしり洗浄、ビデ洗浄に適した温度に加熱される。ヒータ１７には温度ヒューズ３６が設けてあり、給水の過昇温を防止する。連続給湯装置１１で生成した温水は切替弁１４ａを介してアキュームレータ３７と脈動バルブ３８を流動して切替弁１４ｂに送られ、切替弁１４ｂからおしり用ノズル１３ａ又はビデ用ノズル１３ｂに送られる。
【００６８】
（手洗い時の動作）
局部洗浄後に使用者が手洗いスイッチ（図示省略）を操作すると、制御装置１２は給水弁２０ａを開動作して給水路１６からの給水を開始し、連続給湯装置１１に給水する。このとき連続給湯装置１１への入口の温度を温度センサ３３で、出口の温度を温度センサ３４で計測し、温度センサ３３、温度センサ３４からの信号は制御装置１２へ送られる。また、給水の流量は流量センサ３５で計測され、その信号は制御装置１２へ送られる。連続給湯装置１１に送られた給水は、温度センサ３３、温度センサ３４からの信号、流量センサ３５からの信号に基づいて制御装置１２により制御されるヒータ１７で手洗いに適した温度に加熱される。ヒータ１７には温度ヒューズ３６が設けてあり、給水の過昇温を防止する。連続給湯装置１１で生成した温水は切替弁１４ａに送られ、切替弁１４ａから手洗い装置１５に送られる。
【００６９】
温水洗浄装置１０ｊでは、実施例１と同様の効果に加え、温度センサ３３、温度センサ３４、流量センサ３５を備えることで、おしり洗浄、ビデ洗浄又は手洗いに好適な温度、流量の制御が行える。また、アキュームレータ３７と脈動バルブ３８を備えることで、おしり洗浄、ビデ洗浄時に、給水へ適度な脈動を付与させることができる。また、手洗い時に給水はアキュームレータ３７と脈動バルブ３８を流動しないため、給水の温度低下（熱損失）を防止できる。また、切替弁１４ａ、切替弁１４ｂに三方弁を用いることで、四方弁を用いる場合よりコスト低減が可能になる。
【実施例１２】
【００７０】
図１３は、温水洗浄装置１０ｋの給水回路を示す説明図である。温水洗浄装置１０ｋは、図１の実施例１の温水洗浄装置１０を改良したのもで、同一の機能、部位については同一の符号を用いて説明する。実施例１の温水洗浄装置１０との違いは、二方弁である給水弁２０ａを用いたこと、給水弁２０ａと連続給湯装置１１との間に温度センサ３３と流量センサ３５を備え、三方弁である切替弁１４ａと三方弁である切替弁１４ｂの間にはアキュームレータ３７と脈動バルブ３８を備え、連続給湯装置１１のヒータ１７には温度ヒューズ３６を備え、手洗い用配管１８ｃにより温水洗浄便座４から離れた位置にある洗面台３９に吐水することで、その他の構成は温水洗浄便座１０と同じである。
【００７１】
（局部洗浄時の動作）
使用者がおしり用ノズル１３ａ又はビデ用ノズル１３ｂのスイッチ（図示省略）を操作すると、制御装置１２は給水弁２０ａを開動作して給水路１６からの給水を開始し、連続給湯装置１１に給水する。このとき連続給湯装置１１への入口の温度を温度センサ３３で、出口の温度を温度センサ３４で計測し、温度センサ３３、温度センサ３４からの信号は制御装置１２へ送られる。また、給水の流量は流量センサ３５で計測され、その信号は制御装置１２へ送られる。連続給湯装置１１に送られた給水は、温度センサ３３、温度センサ３４からの信号、流量センサ３５からの信号に基づいて制御装置１２により制御されるヒータ１７でおしり洗浄、ビデ洗浄に適した温度に加熱される。ヒータ１７には温度ヒューズ３６が設けてあり、給水の過昇温を防止する。連続給湯装置１１で生成した温水は切替弁１４ａを介してアキュームレータ３７と脈動バルブ３８を流動して切替弁１４ｂに送られ、切替弁１４ｂからおしり用ノズル１３ａ又はビデ用ノズル１３ｂに送られる。
【００７２】
（手洗い時の動作）
局部洗浄後に使用者が手洗いスイッチ（図示省略）を操作すると、制御装置１２は給水弁２０ａを開動作して給水路１６からの給水を開始し、連続給湯装置１１に給水する。このとき連続給湯装置１１への入口の温度を温度センサ３３で、出口の温度を温度センサ３４で計測し、温度センサ３３、温度センサ３４からの信号は制御装置１２へ送られる。また、給水の流量は流量センサ３５で計測され、その信号は制御装置１２へ送られる。連続給湯装置１１に送られた給水は、温度センサ３３、温度センサ３４からの信号、流量センサ３５からの信号に基づいて制御装置１２により制御されるヒータ１７で手洗いに適した温度に加熱される。ヒータ１７には温度ヒューズ３６が設けてあり、給水の過昇温を防止する。連続給湯装置１１で生成した温水は切替弁１４ａに送られ、切替弁１４ａから手洗い配管１８ｃにより温水洗浄便座４から離れた位置にある洗面台３９に設けられた手洗い装置１５に送られる。
【００７３】
温水洗浄装置１０ｋでは、実施例１と同様の効果に加え、温度センサ３３、温度センサ３４、流量センサ３５を備えることで、おしり洗浄、ビデ洗浄又は手洗いに好適な温度、流量の制御が行える。また、アキュームレータ３７と脈動バルブ３８を備えることで、おしり洗浄、ビデ洗浄時に、給水へ適度な脈動を付与させることができる。また、手洗い時に給水はアキュームレータ３７と脈動バルブ３８を流動しないため、給水の温度低下（熱損失）を防止できる。また、切替弁１４ａ、切替弁１４ｂに三方弁を用いることで、四方弁を用いる場合よりコスト低減が可能になる。また、手洗い配管１８ｃにより温水洗浄便座４から離れた位置にある洗面台３９に設けられた手洗い装置１５での手洗いが可能になる。
【符号の説明】
【００７４】
１０  温水洗浄装置
１１  連続給湯装置
１３ａ  おしり洗浄ノズル（局部洗浄用ノズル）
１３ｂ  ビデ洗浄ノズル（局部洗浄用ノズル）
１４  切替弁
１５  手洗い装置
【図１】
2010275780.tif 000003
【図２】
2010275780.tif 000004
【図３】
2010275780.tif 000005
【図４】
2010275780.tif 000006
【図５】
2010275780.tif 000007
【図６】
2010275780.tif 000008
【図７】
2010275780.tif 000009
【図８】
2010275780.tif 000010
【図９】
2010275780.tif 000011
【図１０】
2010275780.tif 000012
【図１１】
2010275780.tif 000013
【図１２】
2010275780.tif 000014
【図１３】
2010275780.tif 000015